(57)【要約】本発明は同一周波数干渉を除去する方法及び装置を提供し、該方法は、基地局が、基地局と隣接する複数の基地局との間の伝送遅延を取得するステップと、基地局が、自セルのサービスＵＥが報告する同一周波数隣接セルの基準信号受信パワー（ＲＳＲＰ）を受信するステップと、基地局が、自セルのＲＳＲＰに対応する同一周波数隣接セルから、伝送遅延が所定閾値より大きい同一周波数隣接セルを候補隣接セルとして決定するステップと、基地局が、サービスＵＥに設定した半永続スケジューリング（ＳＰＳ）情報をマルチポイント協調送受信（ＣｏＭＰ）情報として設定し、候補隣接セルに伝送するステップと、を含み、ＳＰＳ情報は、指定リソース上でスケジューリングを周期的に停止するように候補隣接セルに指示するために用いられる。本発明によれば、大伝送遅延の従来のネットワークにＣｏＭＰ技術を如何に使用して下り同一周波数干渉を除去するかという関連技術における問題を解決し、ユーザーのスループットとネットワーク全体のスペクトル使用率を向上させる効果を達成する。【選択図】図４
2019520756.tif 000002
【特許請求の範囲】
【請求項１】
同一周波数干渉を除去する方法であって、
基地局が、前記基地局と隣接する複数の基地局との間の伝送遅延を取得するステップと、
前記基地局が、自セルのサービスＵＥが報告する同一周波数隣接セルの基準信号受信パワー（ＲＳＲＰ）を受信するステップと、
前記基地局が、自セルのＲＳＲＰに対応する同一周波数隣接セルから、伝送遅延が所定閾値より大きい同一周波数隣接セルを候補隣接セルとして決定するステップと、
前記基地局が、前記サービスＵＥに設定した半永続スケジューリング（ＳＰＳ）情報をマルチポイント協調送受信（ＣｏＭＰ）情報として設定し、前記候補隣接セルに伝送するステップと、を含み、
前記ＳＰＳ情報は、指定リソース上でスケジューリングを周期的に停止するように前記候補隣接セルに指示するために用いられる方法。
【請求項２】
基地局が、前記基地局と隣接する複数の基地局との間の伝送遅延を取得することは、
前記基地局が、予め設定された前記基地局と隣接する複数の基地局との間の伝送遅延を取得するステップ、又は、
前記基地局が、前記基地局と隣接する複数の基地局の間の伝送遅延を検出するステップを含む請求項１に記載の方法。
【請求項３】
前記基地局が、自セルのＲＳＲＰに対応する同一周波数隣接セルから、伝送遅延が所定閾値より大きい同一周波数隣接セルを候補隣接セルとして決定することは、
前記基地局が、サービスＵＥの報告した前記ＲＳＲＰに基づき、前記ＲＳＲＰに対応する同一周波数隣接セルをソートするステップと、
前記基地局が、ソート後の同一周波数隣接セルを走査し、伝送遅延が所定閾値より大きい同一周波数隣接セルを候補隣接セルとして選択するステップと、を含む請求項１に記載の方法。
【請求項４】
前記基地局が、前記サービスＵＥに設定した半永続スケジューリング（ＳＰＳ）情報をマルチポイント協調送受信（ＣｏＭＰ）情報として設定し、前記候補隣接セルに伝送することは、
前記基地局が、少なくともＳＰＳアクティブ化されたリソースブロック（ＲＢ）リソース、ＳＰＳのアクティブ化時刻、ＳＰＳの周期を含むＳＰＳ情報を前記サービスＵＥに設定するステップと、
前記基地局が、前記ＳＰＳ情報をパッケージし、ＣｏＭＰ情報を生成するステップと、
前記基地局が、パケットトランスポートネットワーク（ＰＴＮ）によって前記ＣｏＭＰ情報を前記候補隣接セルに伝送するステップと、を含み、
前記ＳＰＳは、前記アクティブ化時刻から前記周期で、ＳＰＳアクティブ化されたリソースブロック（ＲＢ）リソース上でスケジューリングを周期的に停止するように前記候補隣接セルに指示するために用いられる請求項１に記載の方法。
【請求項５】
前記所定閾値は１０ｍｓである請求項１に記載の方法。
【請求項６】
基地局側に適用される同一周波数干渉を除去する装置であって、
前記基地局と隣接する複数の基地局との間の伝送遅延を取得するように構成される取得モジュールと、
自セルのサービスＵＥが報告する同一周波数隣接セルの基準信号受信パワー（ＲＳＲＰ）を受信するように構成される受信モジュールと、
自セルのＲＳＲＰに対応する同一周波数隣接セルから、伝送遅延が所定閾値より大きい同一周波数隣接セルを候補隣接セルとして決定するように構成される決定モジュールと、
前記サービスＵＥに設定した半永続スケジューリング（ＳＰＳ）情報をマルチポイント協調送受信（ＣｏＭＰ）情報として設定し、前記候補隣接セルに伝送するように構成される処理モジュールと、を備え、
前記ＳＰＳ情報は、指定リソース上でスケジューリングを周期的に停止するように前記候補隣接セルに指示するために用いられる装置。
【請求項７】
前記取得モジュールは、
予め設定された前記基地局と隣接する複数の基地局との間の伝送遅延を取得するように構成される取得ユニット、又は、
前記基地局と隣接する複数の基地局の間の伝送遅延を検出するように構成される検出ユニットを備える請求項６に記載の装置。
【請求項８】
前記決定モジュールは、
サービスＵＥの報告した前記ＲＳＲＰに基づき、前記ＲＳＲＰに対応する同一周波数隣接セルをソートするように構成されるソートユニットと、
ソート後の同一周波数隣接セルを走査し、伝送遅延が所定閾値より大きい同一周波数隣接セルを候補隣接セルとして選択するように構成される決定ユニットと、を備える請求項６に記載の装置。
【請求項９】
前記処理モジュールは、
少なくともＳＰＳアクティブ化されたリソースブロック（ＲＢ）リソース、ＳＰＳのアクティブ化時刻、ＳＰＳの周期を含むＳＰＳ情報を前記サービスＵＥに設定するように構成される設定ユニットと、
前記ＳＰＳ情報をパッケージし、ＣｏＭＰ情報を生成するように構成される処理ユニットと、
パケットトランスポートネットワーク（ＰＴＮ）によって前記ＣｏＭＰ情報を前記候補隣接セルに伝送するように構成される伝送ユニットと、を備え、
前記ＳＰＳは、前記アクティブ化時刻から前記周期で、ＳＰＳアクティブ化されたリソースブロック（ＲＢ）リソース上でスケジューリングを周期的に停止するように前記候補隣接セルに指示するために用いられる請求項６に記載の装置。
【請求項１０】
前記所定閾値は１０ｍｓである請求項６に記載の装置。
【発明の詳細な説明】
【技術分野】
【０００１】
本発明は通信分野に関し、具体的には、同一周波数干渉を除去する方法及び装置に関する。
【背景技術】
【０００２】
マルチポイント協調送受信技術（Ｃｏｏｒｄｉｎａｔｅｄ  ｍｕｌｔｉ−ｐｏｉｎｔｔｒａｎｓｍｉｓｓｉｏｎ／ｒｅｃｅｐｔｉｏｎ：ＣｏＭＰと略称する）は、進化型ＬＴＥ（Ｌｏｎｇ  Ｔｉｍｅ  Ｅｖｏｌｕｔｉｏｎ−Ａｄｖａｎｃｅｄ：ＬＴＥ−Ａと略称する）ネットワークにおいて同一周波数干渉を低減又は除去することで、セルエッジのスループットを向上させ、高速データサービスカバレッジを増加させ、システムスループットを向上させる技術である。
【０００３】
ＣｏＭＰ技術は複数のセル間の協調スケジューリング又は共同処理によって、セル間の干渉を低減させ、ユーザーの信号品質を向上させ、セルエッジにおけるユーザーのパフォーマンスを改善するとともに、システム全体のパフォーマンスを向上させる。
【０００４】
図１は関連技術におけるＣｏＭＰ技術の応用模式図であり、図１に示すように、ＣｏＭＰは多入力多出力（Ｍｕｌｔｉ  Ｉｎｐｕｔ  Ｍｕｌｔｉ  Ｏｕｔｐｕｔ：ＭＩＭＯと略称する）技術の複数のセルでの応用である。上りリンクにおいて、一般には共同受信を採用し、複数のセル又は複数の基地局が同一ユーザーの上り信号を同時に受信して処理し、それにより受信ダイバーシティゲインとパワーゲインを得る。下りリンクにおいて２種類の典型的な技術があり、一方は共同送信であり、即ち、複数のセル又は複数の基地局が同一ユーザーの下り信号を同時に送信し、他方は干渉回避であり、即ちサービスセルがデータを送信する時、ほかの隣接セルが同一時間周波数リソースでサイレントであり、下りの２種類のＣｏＭＰ技術によって、ほかのセルの同一周波数領域リソースでの同一周波数干渉を効果的に低減させ、セルエッジにおけるユーザーのスループットを向上させる。
【０００５】
ボイスオーバーＬＴＥ（Ｖｏｉｃｅ  ｏｖｅｒ  ＬＴＥ：ＶｏＬＴＥと略称する）技術は、２Ｇ／３Ｇネットワークが必要とせず、すべてのサービスが４Ｇ  ＬＴＥネットワークにベアラされ、データと音声サービスの同一ネットワークでの統一が実現でき、それによりユーザーは高品質の音声通話を楽しむことができる。ＶｏＬＴＥサービスは典型的な周期性を有し、一般には２０ｍｓの周期とする。ＬＴＥネットワークはＶｏＬＴＥサービスに対してＳＰＳ技術を使用することで、システムの音声ユーザー容量を大幅に向上でき、複数の音声ユーザーが同時に通話する時、通話遅延をよりよく確保でき、音声体験を向上させる。
【０００６】
半永続スケジューリング（Ｓｅｍｉ−Ｐｅｒｓｉｓｔｅｎｔ  Ｓｃｈｅｄｕｌｉｎｇ：ＳＰＳと略称する）はＬＴＥシステムのメディアアクセス制御（Ｌｏｇｉｃａｌ  Ｌｉｎｋ  Ｃｏｎｔｒｏｌ：ＭＡＣと略称する）層の重要な技術の一つである。ＬＴＥシステムでは、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨと略称する）のリソースが制限されるため、単位時間当たりのスケジューリングされるユーザーの数が厳しく制限され、ＳＰＳ技術を適用することで、上記問題を大幅に緩和する。
【０００７】
図２は関連技術における半永続スケジューリングの模式図であり、図２に示すように、半永続スケジューリング方式とは、ＬＴＥシステムのスケジューリング伝送中、基地局側が制御情報によって、例えばリソースブロック（Ｒｅｓｏｕｒｃｅ  Ｂｌｏｃｋ：ＲＢと略称する）、変調及び符号化方式（Ｍｏｄｕｌａｔｉｏｎ  ａｎｄ  Ｃｏｄｉｎｇ  Ｓｃｈｅｍｅ：ＭＣＳと略称する）、ハイブリッド自動再送要求（Ｈｙｂｒｉｄ  Ａｕｔｏｍａｔｉｃ  Ｒｅｐｅａｔ  ｒｅＱｕｅｓｔ：ＨＡＲＱと略称する）リソース等のような特定のリソースに対するグラントを行い、ＵＥ側が該グラントを周期的に使用し、基地局側が特定の制御情報を送信すると、グラントがキャンセルされる。
【０００８】
半永続スケジューリングのアクティブ化／再アクティブ化について、基地局側は下り制御情報（Ｄｏｗｎｌｉｎｋ  Ｃｏｎｔｒｏｌ  Ｉｎｆｏｒｍａｔｉｏｎ：ＤＣＩと略称する）を送信し、ＬＴＥプロトコルの規定に従って、半永続セルワイヤレスネットワーク識別子（ＳＰＳ−Ｃ−ＲＮＴＩ）によって、送信したＤＣＩをスクランブリングし、特定のフィールドを０に設定する。ＵＥはＤＣＩ情報を受信し、スクランブリングとフィールド指示要求を満たすと、該グラントがＳＰＳアクティブ化／再アクティブ化グラントであることを判断し、且つ該グラント時刻がＳＰＳグラントの開始点であることを見なし、その後、ＵＥは所定の周期で、グラントキャンセル指示を受信するまで、サービスデータの送受信を継続的に行う。
【０００９】
半永続スケジューリングの非アクティブ化について、第１種の方式として、半永続スケジューリングのアクティブ化方式と同様に、ＳＰＳ−Ｃ−ＲＮＴＩによってスクランブリングされたＤＣＩを送信し、特定のフィールドを０又は１に設定し、ＵＥは該ＤＣＩを受信した後、ＳＰＳのリソースグラントがキャンセルされることを見なす。第２種の方式（上りＳＰＳのみに適用できる）として、上りは複数の空データパケット（すなわち、ヘッダ／Ｐａｄｄｉｎｇのみを有し、Ｐａｙｌｏａｄが０ビットである）を連続的に送信してＳＰＳを非アクティブ化する。
【００１０】
半永続スケジューリング技術は上りと下りの２つの部分に分けられ、単独に上りにイネーブルさせてもよく、単独に下りにイネーブルさせてもよい。半永続スケジューリングの周期について、基地局はＲＲＣシグナリングによってＵＥのＳＰＳ周期を設定し、ＬＴＥプロトコルは、ＳＰＳの周期の値が１０、２０、３２、４０、６４、８０、１２８、１６０、３２０、６４０ミリ秒等を有すると規定する。
【００１１】
ＬＴＥにおいて、従来のプロトコルの実現に基づき、ＣｏＭＰ技術は同一周波数干渉をうまく除去し、スペクトル使用率を向上させることができる。しかしながら、従来技術では、ＣｏＭＰ技術を用いて下り同一周波数干渉を除去する際に、高リアルタイム的なデータ伝送（１ｍｓ未満）に基づく必要がある。しかし現在のネットワークではｅＮｏｄｅＢ間の伝送ネットワークは一般には非理想的なパケット転送ネットワーク（Ｐａｃｋｅｔ  Ｔｒａｎｓｐｏｒｔ  Ｎｅｔｗｏｒｋ：ＰＴＮと略称する）であり、図３は関連技術における分散型マクロ局の伝送模式図であり、図３に示すように、遅延は１０ｍｓ程度である。従って、ＣｏＭＰ技術は優れるが、現在、ｅＮｏｄｅＢの内部にしか適用できず、ネットワーク全体をシームレスにカバーできなく、ｅＮｏｄｅＢ間のマルチポイント協調をサポートできる技術があっても、少なくとも数ミリ秒の遅延が生じてしまい、１０ｍｓ以上の遅延レベルを突破できず、従って、ＣｏＭＰによるパフォーマンス向上は実際のモバイルネットワークにおいて大幅に損なってしまう。
【００１２】
大伝送遅延の従来のネットワークでＣｏＭＰ技術を如何に使用して下り同一周波数干渉を除去するかの関連技術における問題に対して、現在、有効な解決案が開発されていない。
【発明の概要】
【発明が解決しようとする課題】
【００１３】
本発明の実施例は、大伝送遅延の従来のネットワークでＣｏＭＰ技術を如何に使用して下り同一周波数干渉を除去するかという関連技術における問題を少なくとも解決する、同一周波数干渉を除去する方法及び装置を提供する。
【課題を解決するための手段】
【００１４】
本発明の実施例の一態様によれば、同一周波数干渉を除去する方法を提供し、基地局は前記基地局と隣接する複数の基地局との間の伝送遅延を取得するステップと、前記基地局は自セルのサービスＵＥが報告する同一周波数隣接セルの基準信号受信パワー（ＲＳＲＰ）を受信するステップと、前記基地局は自セルのＲＳＲＰに対応する同一周波数隣接セルから、伝送遅延が所定閾値より大きい同一周波数隣接セルを候補隣接セルとして決定するステップと、前記基地局は前記サービスＵＥに設定した半永続スケジューリング（ＳＰＳ）情報をマルチポイント協調送受信（ＣｏＭＰ）情報として設定し、前記候補隣接セルに伝送するステップと、を含み、前記ＳＰＳ情報は、指定リソース上でスケジューリングを周期的に停止するように前記候補隣接セルに指示するために用いられる。
【００１５】
好ましくは、基地局は前記基地局と隣接する複数の基地局との間の伝送遅延を取得することは、前記基地局は予め設定された前記基地局と隣接する複数の基地局との間の伝送遅延を取得するステップ、又は、前記基地局は前記基地局と隣接する複数の基地局の間の伝送遅延を検出するステップを含む。
【００１６】
好ましくは、前記基地局は自セルのＲＳＲＰに対応する同一周波数隣接セルから、伝送遅延が所定閾値より大きい同一周波数隣接セルを候補隣接セルとして決定することは、前記基地局はサービスＵＥの報告した前記ＲＳＲＰに基づき、前記ＲＳＲＰに対応する同一周波数隣接セルをソートするステップと、前記基地局はソート後の同一周波数隣接セルを走査し、伝送遅延が所定閾値より大きい同一周波数隣接セルを候補隣接セルとして選択するステップと、を含む。
【００１７】
好ましくは、前記基地局は前記サービスＵＥに設定した半永続スケジューリング（ＳＰＳ）情報をマルチポイント協調送受信（ＣｏＭＰ）情報として設定し、前記候補隣接セルに伝送することは、前記基地局は少なくともＳＰＳアクティブ化されたリソースブロック（ＲＢ）リソース、ＳＰＳのアクティブ化時刻、ＳＰＳの周期を含むＳＰＳ情報を前記サービスＵＥに設定するステップと、前記基地局は前記ＳＰＳ情報をパッケージし、ＣｏＭＰ情報を生成するステップと、前記基地局はパケットトランスポートネットワーク（ＰＴＮ）によって前記ＣｏＭＰ情報を前記候補隣接セルに伝送するステップと、を含み、前記ＳＰＳは、前記アクティブ化時刻から前記周期で、ＳＰＳアクティブ化されたリソースブロック（ＲＢ）リソース上でスケジューリングを周期的に停止するように前記候補隣接セルに指示するために用いられる。
【００１８】
好ましくは、前記所定閾値は１０ｍｓである。
【００１９】
本発明の別の態様によれば、同一周波数干渉を除去する装置を提供し、基地局側に適用され、前記基地局と隣接する複数の基地局との間の伝送遅延を取得するように構成される取得モジュールと、自セルのサービスＵＥが報告する同一周波数隣接セルの基準信号受信パワー（ＲＳＲＰ）を受信するように構成される受信モジュールと、自セルのＲＳＲＰに対応する同一周波数隣接セルから、伝送遅延が所定閾値より大きい同一周波数隣接セルを候補隣接セルとして決定するように構成される決定モジュールと、前記サービスＵＥに設定した半永続スケジューリング（ＳＰＳ）情報をマルチポイント協調送受信（ＣｏＭＰ）情報として設定し、前記候補隣接セルに伝送するように構成される処理モジュールと、を備え、前記ＳＰＳ情報は、指定リソース上でスケジューリングを周期的に停止するように前記候補隣接セルに指示するために用いられる。
【００２０】
好ましくは、前記取得モジュールは、予め設定された前記基地局と隣接する複数の基地局との間の伝送遅延を取得するように構成される取得ユニット、又は、前記基地局と隣接する複数の基地局の間の伝送遅延を検出するように構成される検出ユニットを備える。
【００２１】
好ましくは、前記決定モジュールは、サービスＵＥの報告した前記ＲＳＲＰに基づき、前記ＲＳＲＰに対応する同一周波数隣接セルをソートするように構成されるソートユニットと、ソート後の同一周波数隣接セルを走査し、伝送遅延が所定閾値より大きい同一周波数隣接セルを候補隣接セルとして選択するように構成される決定ユニットと、を備える。
【００２２】
好ましくは、前記処理モジュールは、少なくともＳＰＳアクティブ化されたリソースブロック（ＲＢ）リソース、ＳＰＳのアクティブ化時刻、ＳＰＳの周期を含むＳＰＳ情報を前記サービスＵＥに設定するように構成される設定ユニットと、前記ＳＰＳ情報をパッケージし、ＣｏＭＰ情報を生成するように構成される処理ユニットと、パケットトランスポートネットワーク（ＰＴＮ）によって前記ＣｏＭＰ情報を前記候補隣接セルに伝送するように構成される伝送ユニットと、を備え、前記ＳＰＳは、前記アクティブ化時刻から前記周期で、ＳＰＳアクティブ化されたリソースブロック（ＲＢ）リソース上でスケジューリングを周期的に停止するように前記候補隣接セルに指示するために用いられる。
【００２３】
好ましくは、前記所定閾値は１０ｍｓである。
【００２４】
本発明の別の実施例によれば、記憶媒体をさらに提供する。該記憶媒体は、
前記基地局と隣接する複数の基地局との間の伝送遅延を取得するステップと、自セルのサービスＵＥが報告する同一周波数隣接セルの基準信号受信パワー（ＲＳＲＰ）を受信するステップと、自セルのＲＳＲＰに対応する同一周波数隣接セルから、伝送遅延が所定閾値より大きい同一周波数隣接セルを候補隣接セルとして決定するステップと、前記サービスＵＥに設定した半永続スケジューリング（ＳＰＳ）情報をマルチポイント協調送受信（ＣｏＭＰ）情報として設定し、前記候補隣接セルに伝送するステップと、を実行するためのプログラムコードを記憶し、前記ＳＰＳ情報は、指定リソース上でスケジューリングを周期的に停止するように前記候補隣接セルに指示するために用いられる。
【００２５】
好ましくは、記憶媒体はさらに、
予め設定された前記基地局と隣接する複数の基地局との間の伝送遅延を取得するステップ、又は、前記基地局と隣接する複数の基地局の間の伝送遅延を検出するステップを実行するためのプログラムコードを記憶する。
【００２６】
好ましくは、記憶媒体はさらに、
サービスＵＥの報告した前記ＲＳＲＰに基づき、前記ＲＳＲＰに対応する同一周波数隣接セルをソートするステップと、ソート後の同一周波数隣接セルを走査し、伝送遅延が所定閾値より大きい同一周波数隣接セルを候補隣接セルとして選択するステップと、を実行するためのプログラムコードを記憶する。
【００２７】
好ましくは、記憶媒体はさらに、少なくともＳＰＳアクティブ化されたリソースブロック（ＲＢ）リソース、ＳＰＳのアクティブ化時刻、ＳＰＳの周期を含むＳＰＳ情報を前記サービスＵＥに設定するステップと、前記ＳＰＳ情報をパッケージし、ＣｏＭＰ情報を生成するステップと、パケットトランスポートネットワーク（ＰＴＮ）によって前記ＣｏＭＰ情報を前記候補隣接セルに伝送するステップと、を実行するためのプログラムコードを記憶し、前記ＳＰＳは、前記アクティブ化時刻から前記周期で、ＳＰＳアクティブ化されたリソースブロック（ＲＢ）リソース上でスケジューリングを周期的に停止するように前記候補隣接セルに指示するために用いられる。
【発明の効果】
【００２８】
本発明の実施例では、ＣｏＭＰ方式によってＳＰＳ情報を伝送する先である候補隣接セルは、該候補隣接セルと現在の基地局とに同一周波数干渉を発生させるＲＳＲＰがあり、且つ相互間の伝送遅延が所定閾値より大きい隣接セルであり、すなわち、ＣｏＭＰ技術を使用して下り同一周波数干渉を除去する時、高リアルタイム性のデータ伝送に依存せず、所定閾値の調整によって大伝送遅延でＣｏＭＰ技術を実現することで、大伝送遅延の従来のネットワークにＣｏＭＰ技術を如何に使用して下り同一周波数干渉を除去する関連技術における問題を解決し、ユーザーのスループットとネットワーク全体のスペクトル使用率を向上させる効果を達成する。
【図面の簡単な説明】
【００２９】
【図１】関連技術におけるＣｏＭＰ技術の応用模式図である。
【図２】関連技術における半永続スケジューリングの模式図である。
【図３】関連技術における分散型マクロ局の伝送模式図である。
【図４】本発明の実施例に係る同一周波数干渉を除去する方法のフローチャートである。
【図５】本発明の実施例に係る同一周波数干渉を除去する装置の構成ブロック図である。
【発明を実施するための形態】
【００３０】
ここで説明される図面は本発明を更に理解するためのものであり、本願の一部として組み込まれ、本発明の例示的実施例及びその説明は本発明を説明するものであって、本発明を限定するものではない。
【００３１】
以下、図面及び実施例を参照して本発明を詳細に説明する。なお、矛盾しない限り、本願の実施例及び実施例の特徴を相互に組み合わせることができる。
【００３２】
なお、本発明の明細書と特許請求の範囲及び上記図面中の用語「第１」、「第２」等は類似する対象を区別するために用いられ、特定の順序や優先順位を示すものではない。
【００３３】
実施例１
本実施例では、同一周波数干渉を除去する方法を提供し、図４は本発明の実施例に係る同一周波数干渉を除去する方法のフローチャートであり、図４に示すように、
Ｓ４０２において、基地局は基地局と隣接する複数の基地局との間の伝送遅延を取得するステップと、
Ｓ４０４において、基地局は自セルのサービスＵＥが報告する同一周波数隣接セルの基準信号受信パワー（ＲＳＲＰ）を受信するステップと、
Ｓ４０６において、基地局は自セルのＲＳＲＰに対応する同一周波数隣接セルから、伝送遅延が所定閾値より大きい同一周波数隣接セルを候補隣接セルとして決定するステップと、
Ｓ４０８において、基地局はサービスＵＥに設定した半永続スケジューリング（ＳＰＳ）情報をマルチポイント協調送受信（ＣｏＭＰ）情報として設定し、候補隣接セルに伝送するステップと、を含み、
ＳＰＳ情報は、指定リソース上でスケジューリングを周期的に停止するように候補隣接セルに指示するために用いられる。
【００３４】
本実施例の上記ステップＳ４０２〜ステップＳ４０８から明らかなように、ＣｏＭＰ方式によってＳＰＳ情報を伝送する先である候補隣接セルは、該候補隣接セルと現在の基地局とに同一周波数干渉を発生させたＲＳＲＰがあり、且つ相互間の伝送遅延が所定閾値より大きい隣接セルであり、すなわち、本実施例では、ＣｏＭＰ技術を使用して下り同一周波数干渉を除去する時、高リアルタイム性のデータ伝送に依存せず、所定閾値の調整によって大伝送遅延（例えば、１０ｍｓ以上）でＣｏＭＰ技術を実現することで、大伝送遅延の従来のネットワークにＣｏＭＰ技術を如何に使用して下り同一周波数干渉を除去する関連技術における問題を解決し、ユーザーのスループットとネットワーク全体のスペクトル使用率を向上させる効果を達成する。
【００３５】
なお、本実施例では、所定閾値１０ｍｓは本発明の好適実施例の値であり、本発明を限定するものではなく、ほかの応用シーンでは具体的な状況に応じて所定閾値を設定でき、例えば１５ｍｓ、２０ｍｓ、８ｍｓ等とする。下記実施例も同様である。
【００３６】
本実施例の代替実施形態では、本実施例のステップＳ４０２に係る基地局は基地局と隣接する複数の基地局との間の伝送遅延を取得する方式は、
基地局は予め設定された基地局と隣接する複数の基地局との間の伝送遅延を取得する方式１と、
基地局は基地局と隣接する複数の基地局の間の伝送遅延を検出する方式２と、を含む。
【００３７】
本実施例の別の代替実施形態では、本実施例のステップＳ４０６に係る基地局は自セルのＲＳＲＰに対応する同一周波数隣接セルから、伝送遅延が所定閾値より大きい同一周波数隣接セルを候補隣接セルとして決定する方式は、
Ｓ４０６−１において、基地局はサービスＵＥの報告したＲＳＲＰに基づき、ＲＳＲＰに対応する同一周波数隣接セルをソートするステップと、
Ｓ４０６−２において、基地局はソート後の同一周波数隣接セルを走査し、伝送遅延が所定閾値より大きい同一周波数隣接セルを候補隣接セルとして選択するステップと、を含む。
【００３８】
本実施例のさらに別の代替実施形態では、ステップＳ４０８に係る基地局はサービスＵＥに設定した半永続スケジューリング（ＳＰＳ）情報をマルチポイント協調送受信（ＣｏＭＰ）情報として設定し、候補隣接セルに伝送する方式は、
Ｓ４０８−１において、基地局は少なくともＳＰＳアクティブ化されたリソースブロック（ＲＢ）リソース、ＳＰＳのアクティブ化時刻、ＳＰＳの周期を含むＳＰＳ情報をサービスＵＥに設定するステップと、
Ｓ４０８−２において、基地局はＳＰＳ情報をパッケージし、ＣｏＭＰ情報を生成するステップと、
Ｓ４０８−３において、基地局はパケットトランスポートネットワーク（ＰＴＮ）によってＣｏＭＰ情報を候補隣接セルに伝送するステップと、を含み、
ＳＰＳは、アクティブ化時刻から周期で、ＳＰＳアクティブ化されたリソースブロック（ＲＢ）リソース上でスケジューリングを周期的に停止するように候補隣接セルに指示するために用いられる。
【００３９】
以上の実施形態についての説明から分かるように、当業者は上記実施例に係る方法をソフトウェアと必要な汎用ハードウェアプラットフォームとの組合せによって実現してもよく、ハードウェアによって実現してもよく、多くの場合、前者は好ましい実施形態であると理解できる。このような理解に基づき、本発明の技術案は本質的に又は従来技術に貢献する部分はソフトウェア製品の形態で実現でき、該コンピュータソフトウェア製品は記憶媒体（例えば、ＲＯＭ／ＲＡＭ、磁気ディスク、光ディスク）に記憶され、１台の端末装置（例えば、携帯電話、コンピュータ、サーバ、又はネットワーク装置等）に本発明の各実施例に係る方法を実行させるための複数の命令を含む。
【００４０】
実施例２
本実施例では、同一周波数干渉を除去する装置をさらに提供し、該装置は上記実施例及び好適実施形態を実現することに用いられ、説明した部分について、重複説明を省略する。例えば、以下使用される用語「モジュール」は所定機能のソフトウェア及び／又はハードウェアの組合せを実現できる。以下の実施例に説明される装置は好ましくはソフトウェアにより実現されるが、ハードウェア、又はソフトウェアとハードウェアとの組合せにより実現されてもよい。
【００４１】
図５は本発明の実施例に係る同一周波数干渉を除去する装置の構成ブロック図であり、該装置は基地局側に適用され、図５に示すように、該装置は、基地局と隣接する複数の基地局との間の伝送遅延を取得する取得モジュール５２と、取得モジュール５２に結合接続され、自セルのサービスＵＥが報告する同一周波数隣接セルの基準信号受信パワー（ＲＳＲＰ）を受信するように構成される受信モジュール５４と、受信モジュール５４に結合接続され、自セルのＲＳＲＰに対応する同一周波数隣接セルから、伝送遅延が所定閾値より大きい同一周波数隣接セルを候補隣接セルとして決定するように構成される決定モジュール５６と、決定モジュール５６に結合接続され、サービスＵＥに設定した半永続スケジューリング（ＳＰＳ）情報をマルチポイント協調送受信（ＣｏＭＰ）情報として設定し、候補隣接セルに伝送するように構成される処理モジュール５８と、を備え、ＳＰＳ情報は、指定リソース上でスケジューリングを周期的に停止するように候補隣接セルに指示するために用いられる。
【００４２】
好ましくは、該取得モジュール５２は、予め設定された基地局と隣接する複数の基地局との間の伝送遅延を取得するように構成される取得ユニット、又は、基地局と隣接する複数の基地局の間の伝送遅延を検出するように構成される検出ユニットを備える。
【００４３】
好ましくは、該決定モジュール５６は、サービスＵＥの報告したＲＳＲＰに基づき、ＲＳＲＰに対応する同一周波数隣接セルをソートするように構成されるソートユニットと、ソート後の同一周波数隣接セルを走査し、伝送遅延が所定閾値より大きい同一周波数隣接セルを候補隣接セルとして選択するように構成される決定ユニットと、を備える。
【００４４】
好ましくは、処理モジュール５８は、少なくともＳＰＳアクティブ化されたリソースブロック（ＲＢ）リソース、ＳＰＳのアクティブ化時刻、ＳＰＳの周期を含むＳＰＳ情報をサービスＵＥに設定するように構成される設定ユニットと、ＳＰＳ情報をパッケージし、ＣｏＭＰ情報を生成するように構成される処理ユニットと、パケットトランスポートネットワーク（ＰＴＮ）によってＣｏＭＰ情報を候補隣接セルに伝送するように構成される伝送ユニットと、を備え、ＳＰＳは、アクティブ化時刻から周期で、ＳＰＳアクティブ化されたリソースブロック（ＲＢ）リソース上でスケジューリングを周期的に停止するように候補隣接セルに指示するために用いられる。
【００４５】
なお、上記各モジュールはソフトウェア又はハードウェアによって実現でき、ハードウェアによって実現される場合、上記モジュールはすべて同一プロセッサに位置してもよく、上記各モジュールは任意の組合せでそれぞれ異なるプロセッサに位置してもよいが、それらに限定されない。
【００４６】
実施例３
本実施例は下り同一周波数干渉を低減させる方法を提供し、本実施例では、下り同一周波数干渉中の音声サービスを例に説明し、また、本実施例に係る大遅延ＣｏＭＰ処理技術も伝送遅延≧１０ｍｓを例に説明し、本実施例の方法はステップＳ５０２〜ステップＳ５０６を含む。
【００４７】
ステップＳ５０２において、各ＣｏＭＰ隣接セル又はネットワークの伝送遅延を事前設定する。
【００４８】
ｅＮＢノードのネットワークを例とし、例えば、事前測定結果に基づき、各ｅＮｏｄｅＢ間の伝送ネットワークの伝送遅延を事前設定し、各ｅＮＢは自体とほかの関連ｅＮＢの遅延設定記録を保存する。該事前設定は手動設定であってもよく、自動検出であってもよい。
【００４９】
ステップＳ５０４において、基地局はＶｏｉｐサービスを行うＵＥに対して遅延と同一周波数干渉が統合的に最も大きいＣｏＭＰ隣接セルを選択する。
【００５０】
まず、サービスＵＥが同一周波数隣接セルのチャネル品質報告を有するか否かを判定し、有さないと、プロセスが終了し、同一周波数隣接セルのチャネル品質報告を有すると、同一周波数隣接セルを干渉の程度に応じて降順でソートし、ＣｏＭＰ隣接セルの候補集合を生成する。
【００５１】
更にソート後の同一周波数隣接セルを干渉の程度に応じて走査し、隣接セルの伝送遅延がＴＤＥＬＡＹ（大遅延閾値：１０ｍｓ）より大きいか否かを記録し、ＹＥＳであると、大遅延候補隣接セル集合に追加して、最終の大遅延ＣｏＭＰ隣接セル候補集合を生成する。
【００５２】
ステップＳ５０６において、基地局はＶｏｉｐサービスを行うＵＥにＳＰＳ情報を送信し、このＳＰＳ関連情報をパッケージして上記ＣｏＭＰ隣接セルに伝送する。
【００５３】
選択した大遅延最適同一周波数干渉隣接セルに対して、ＣｏＭＰ処理は、以下の通りである。
【００５４】
まず、基地局はサービスに応じてＳＰＳの属性を設定し、基地局側はサービスＵＥに対して下りＳＰＳ技術をアクティブ化し、自セルはＳＰＳ周期で同一リソースで音声パケットを連続的に送信し、更に基地局はＵＥのＳＰＳ情報（ＳＰＳアクティブ化されたＲＢリソース、ＳＰＳのアクティブ化時刻、ＳＰＳの周期等の情報を含む）をパッケージし、協調情報を形成し、ＰＴＮ伝送ネットワークによって、選択した隣接セルに伝送し、隣接セルはサービスセルから送信される協調要求を受信すると、ＳＰＳの周期で、この時の時間周波数リソース上でほかのユーザーをスケジューリングしないことで、同一周波数干渉を回避する。
【００５５】
以下、本実施例の具体的な応用シーンを用いて本実施例を具体的には説明する。
【００５６】
応用シーン１において、ｅＮＢを例に、最適干渉除去隣接セルを選択して干渉除去を行う。
【００５７】
ここで、ｅＮＢ１（セル１を有する）、ｅＮＢ２（セル２を有する）、ｅＮＢ３（セル３を有する）、ＵＥ１を有する。該セル１、２、３は互いに隣接して配置される。
【００５８】
ｅＮＢ１、ｅＮＢ２、ｅＮＢ３、ｅＮＢ４間の遅延を予め測定し、［ｅＮＢ１−ｅＮＢ２：９ｍｓ］、［ｅＮＢ１−ｅＮＢ３：１２ｍｓ］、［ｅＮＢ２−ｅＮＢ３：１０ｍｓ］とする。
【００５９】
ステップ１０において、現在のｅＮｏｄｅＢと隣接ｅＮｏｄｅＢの伝送遅延を測定し、現在のｅＮｏｄｅＢに設定する。すなわち、各ｅＮＢにおいてほかのｅＮＢとの伝送遅延の事前設定を行う。
【００６０】
ｅＮＢ１において、ｅＮＢ２との遅延Ｔ１２を９（ｍｓ）、ｅＮＢ３との遅延Ｔ１３を１２（ｍｓ）に事前設定し、
ｅＮＢ２において、ｅＮＢ１との遅延Ｔ２１を９（ｍｓ）、ｅＮＢ３との遅延Ｔ２３を１０（ｍｓ）に事前設定し、
ｅＮＢ３において、ｅＮＢ１との遅延Ｔ３１を１２（ｍｓ）、ｅＮＢ２との遅延Ｔ３２を１０（ｍｓ）に事前設定する。
【００６１】
ステップ２０において、ＵＥ１はｅＮＢ１のセル１においてＶｏｌｔｅサービスを開始する。ハンドオーバを判断するために、ｅＮＢはＵＥにＡ３測定を送信する。
【００６２】
ステップ３０において、ＵＥ１はセル１のエッジに移動すると、Ａ３によって自セルと複数の同一周波数隣接セルのＲＳＲＰを報告する。
【００６３】
本サービス（セル１）が−１０５ｄｂｍ、隣接セル（セル２）が−９０ｄｂｍ、隣接セル（セル３）が−９５ｄｂｍである。
【００６４】
ステップ４０において、大遅延協調隣接セルが基本的に集中する第１順位の隣接セルを、最適干渉除去隣接セルとする。
【００６５】
ＵＥが報告したすべての同一周波数隣接セルを走査し、隣接セルと自セルとのＲＳＲＰ差（隣接セルＲＳＲＰ−隣接セルＲＳＲＰ）を計算し、降順でソートし、ＣｏＭＰ協調の隣接セル基本集合とし、表１に示される。
【００６６】
【表１】
2019520756.tif 000003
【００６７】
表１から明らかなように、ＣｏＭＰ協調の隣接セル基本集合は、隣接セル２、隣接セル３である。
【００６８】
ステップ５０において、ＵＥが報告したすべての同一周波数隣接セルを走査し、隣接セルと自セルとのＲＳＲＰ差（隣接セルＲＳＲＰ−隣接セルＲＳＲＰ）を計算し、降順でソートし、ＣｏＭＰ協調の隣接セル基本集合とする。本例では、協調隣接セル基本集合を走査し、各隣接セルの所属するｅＮｏｄｅＢを照会し、自セルｅＮｏｄｅＢとの遅延を記録し、１０ｍｓより大きいと、該隣接セルを大遅延協調隣接セル集合に追加する。
【００６９】
上記表からわかるように、１０ｍｓより大きい隣接セルは隣接セル３のみであるため、隣接セル３は最適大遅延協調隣接セルである。
【００７０】
ステップ６０において、サービスセル（セル１）はサービスＵＥのＳＰＳ技術をアクティブ化する。
【００７１】
ステップ７０において、ｅＮＢ１のセル１はＵＥ１に送信したＳＰＳグラントの下り時間周波数リソース情報及び設定周期等をパッケージして、協調情報を形成し、伝送ネットワークによって、選択した隣接セル３に伝送し、ここで、下り時間周波数リソース情報及び設定周期はＳＰＳアクティブ化されたＲＢリソース、ＳＰＳのアクティブ化時刻、ＳＰＳの周期等の情報を含む。
【００７２】
ステップ８０において、隣接セル３はセル１からのＵＥ１のＳＰＳグラント関連グラント情報を受信すると、対応した時間周波数リソース上でそのデータのスケジューリングを周期的に停止する。
【００７３】
上記本実施例のステップによって、ｅＮｏｄｅＢ間大遅延伝送ネットワークではＣｏＭＰを効果的に使用できる方法を実現し、それにより、同一周波数干渉を除去し、ゲインを取得する。
【００７４】
応用シーン２、ｅＮＢを例に、複数の隣接セルを同時に選択して干渉除去を行う。
【００７５】
本応用シーン２は、より多い隣接セル、ｅＮＢ４（セル４）、ｅＮＢ５（セル５）を有する以外、応用シーン１と同様であり、ここでセル１、２、３、４、５は互いに隣接セル関係である。
【００７６】
本応用シーン２におけるステップは応用シーン１における処理ステップ１０〜４０と同じであり、Ｓ５０では取得した隣接セル集合は、本応用シーン２では１つを超える場合（隣接セル４、隣接セル５が追加される）、以下のステップを実行する。
【００７７】
ステップ６０において、ｅＮＢ１のセル１はＵＥ１に送信したＳＰＳグラントの下り時間周波数リソース情報及び設定周期等（ＳＰＳアクティブ化されたＲＢリソース、ＳＰＳのアクティブ化時刻、ＳＰＳの周期等の情報を含む）をパッケージして、協調情報を形成し、伝送ネットワークによって、選択した隣接セル３、４、５に伝送する。
【００７８】
ステップ７０において、隣接セル３、４、５はセル１からのＵＥ１のＳＰＳグラント関連グラント情報を受信すると、対応した時間周波数リソース上でそのデータのスケジューリングを周期的に停止する。
【００７９】
以上のように、本実施例によって、隣接セルの伝送遅延が大きい（１０ｍｓより大きい）場合、同一周波数干渉を効果的に除去する方法を提案し、関連技術では大遅延伝送ネットワークの下り音声サービスの同一周波数干渉を除去できない問題を解決し、ＣｏＭＰ適用範囲を拡張し、ユーザーのスループットとネットワーク全体のスペクトル使用率を向上させる。
【００８０】
明らかなように、当業者であれば、上記本発明の各モジュール又は各ステップは汎用型コンピューティング装置によって実現でき、１つのコンピューティング装置に集中してもよく、複数のコンピューティング装置から構成されるネットワークに分散してもよく、好ましくは、コンピューティング装置に実行可能なプログラムコードによって実現でき、それにより記憶装置に記憶され、コンピューティング装置により実行され、また、場合によっては、ここでの順序と異なる順序で、図示又は説明されるステップを実行し、又はそれらをそれぞれ集積回路モジュールに作製し、又はそれらのうちの複数のモジュール又はステップを１つの集積回路モジュールに作製して実現すると理解できる。このように、本発明は任意の特定のハードウェアとソフトウェアとの組合せに限定されない。
【００８１】
以上、本発明の好適実施例を説明したが、本発明を限定するものではない。当業者であれば、本発明に種々の変更や変化を行うことができる。本発明の精神と原則を逸脱せずに行われる変更、同等置換、改良等はすべて本発明の保護範囲に属する。
【産業上の利用可能性】
【００８２】
本発明の実施例では、ＣｏＭＰ方式によってＳＰＳ情報を伝送する先である候補隣接セルは、該候補隣接セルと現在の基地局とに同一周波数干渉を発生させるＲＳＲＰがあり、且つ相互間の伝送遅延が所定閾値より大きい隣接セルであり、すなわち、ＣｏＭＰ技術を使用して下り同一周波数干渉を除去する時、高リアルタイム性のデータ伝送に依存せず、所定閾値の調整によって大伝送遅延でＣｏＭＰ技術を実現することで、大伝送遅延の従来のネットワークでＣｏＭＰ技術を如何に使用して下り同一周波数干渉を除去する関連技術における問題を解決し、ユーザーのスループットとネットワーク全体のスペクトル使用率を向上させる効果を達成する。
【図１】
2019520756.tif 000004
【図２】
2019520756.tif 000005
【図３】
2019520756.tif 000006
【図４】
2019520756.tif 000007
【図５】
2019520756.tif 000008
【国際調査報告】
2019520756.tif 000009
2019520756.tif 000010
2019520756.tif 000011
2019520756.tif 000012